(57)【要約】【課題】使い勝手のよい被服等を提供する。【解決手段】  おむつカバー２は、ズボン型の形状であり、防水性及び通気性を有する素材からなる。おむつカバー２は、筒状の本体４と、本体４の胴開口１０と、２つの本体４の脚開口２０と、本体４において脚開口２０を形成する股形成構造３０と、展開構造４０と、を備える。展開構造４０は、腰から大腿部側部にかけてまっすぐ伸びた区切部４１と、区切部４１に沿って配された１組の面ファスナ４２とを有する。本体４は、区切部４１により、シート状（以下、展開シートと称する）に展開可能となる。股形成構造３０は、展開シート５のＹ方向端部において、Ｘ方向にて離隔して配された対の面ファスナ５１を備える。面ファスナ５１Ａ，５１Ｂは、図示するようなＶ字状やＵ字状に形成される。【選択図】図２
2017225623.tif 000002
【特許請求の範囲】
【請求項１】
一方側と他方側とが係脱可能なシートと、
一方側から他方側へ向かう方向を第１方向と、前記第１方向と交差する方向を第２方向と定義した際、前記第２方向における前記シートの端部には、前記第１方向において離隔して配された第１股エリア及び第２股エリアが設定され、
前記第１股エリアと前記第２股エリアとは係脱可能であることを特徴とする被服。
【請求項２】
前記第１股エリアと前記第２股エリアにはそれぞれ股係脱部材が配され、
前記股係脱部材は叉状となっており、
前記股係脱部材が係合した際、前記叉状部分が重なることを特徴とする請求項１記載の被服。
【請求項３】
筒状体と、
前記筒状体に設けられた胴開口と、
前記筒状体に設けられた２つの脚開口と、
前記筒状体において２つの脚開口を形成する股形成構造と、
前記筒状体をシート状に展開可能な展開構造と、を備え、
前記展開構造は、
前記筒状体の他方の開口端から前記脚開口の開口端まで延びる区切部と、
前記区切部によって形成された一対の端部を互いに係脱可能にする端部係脱機構と、を有し、
前記股形成構造は互いに係脱可能な股係脱部材を有し、
前記股係脱部材は叉状となっていることを特徴とする被服。
【請求項４】
前記脚開口の開口部には伸縮自在なギャザー構造が形成され、
前記脚開口の開口部周縁には、排泄物を吸収可能な吸収部材が設けられたことを特徴とする請求項３記載の被服。
【請求項５】
前記股係脱部材は切り込みを有することを特徴とする請求項２ないし４のうちいずれか１項記載の被服。
【請求項６】
前記切り込みの端部は前記股係脱部材の中途部に位置することを特徴とする請求項５記載の被服。
【請求項７】
前記股係脱部材及び端部係脱部材は面ファスナであることを特徴とする請求項２ないし６のうちいれか１項記載の被服。
【請求項８】
係合部材を用いてシートの一方側と他方側を係合させて筒状体を形成する筒状体形成工程と、
前記筒状体形成工程の前または後に行われ、前記股係脱部材を前記シートに取り付ける股係脱部材取り付け工程と、
前記筒状体形成工程の前または後に行われ、前記股係脱部材に切り込みをいれる切り込み工程と、を備えたことを特徴とする被服の製造方法。
【発明の詳細な説明】
【技術分野】
【０００１】
本発明は、被服、及び被服の製造方法に関する。
【背景技術】
【０００２】
介護保険制度は、介護を必要とする状態となってもできる限り自立した日常生活を営み、人生の最後まで人間としての尊厳を全うできるよう、介護を必要とする人を社会全体で支える仕組みである。介護保険制度には、要介護状態であるか否か、そして、要介護状態である場合には、要介護１（軽度）から要介護５（重度）の５段階のいずれに該当するかを判定する要介護認定がある。
【０００３】
自立排泄が困難になるのは、要介護度５段階のうち、要介護３以上の重度者である。重度者は、自分で上衣やズボンの着脱ができず、第三者からの介助を必要とする。このため、重度者には、「使い捨てオムツ」が着用され、一日５〜６回、所定時間ごとに交換を行う。
【０００４】
ところが、「使い捨てオムツ」を装着していても、オムツの足開口部や腰開口部から排泄物が外部にこぼれだしてしまい、シーツや床が汚れてしまうケースが多い。係る場合には、その都度、ヘルパー・介護者が、シーツや床等を掃除しなければならない。
【０００５】
オムツの足開口部や腰開口部から排泄物が外部にこぼれ出す要因としては、（１）夜間等、排泄物がオムツの容量をオーバーしてしまうこと、（２）日中においては、足を動かすと、足開口部に隙間ができてしまい、そこから、排泄物がこぼれてしまうこと等があげられる。
【０００６】
一方、オムツの上に装着する衣服として、特許文献１〜２のようなオムツカードが知られている。
【先行技術文献】
【特許文献】
【０００７】
【特許文献１】特開平１０−９９３６０号公報
【特許文献２】特開２００９−７４２２１号公報
【発明の概要】
【発明が解決しようとする課題】
【０００８】
しかしながら、特許文献１のようなオムツガードでは、オムツからこぼれ出た排泄物を吸収することができない。また、「使い捨てオムツ」の交換時には、「オムツガード」の両サイドの面ファスナを外して、「オムツガード」を脱がす必要があり、「オムツガード」の脱がす作業に手間がかかる。脱がす作業を簡略化するためには「おむつカバー」を、特許文献２のようなスカート型にすることも考えられる。しかしながら、介護者は、日中この「おむつカバー」を装着して行動することとなる。このため、男性の介護者の場合には、スカート型の「おむつカバー」の装着は、本人や家族にとって抵抗がある。
【０００９】
本発明は、斯かる実情に鑑み、従来に比べて使い勝手のよいおむつカバー等の被服を提供しようとするものである。さらに、本発明は、製造コストを低く抑えた被服の製造方法を提供しようとするものである。
【課題を解決するための手段】
【００１０】
本発明の被服は、一方側と他方側とが係脱可能なシートと、一方側から他方側へ向かう方向を第１方向と、前記第１方向と交差する方向を第２方向と定義した際、前記第２方向における前記シートの端部には、前記第１方向において離隔して配された第１股エリア及び第２股エリアが設定され、前記第１股エリアと前記第２股エリアとは係脱可能であることを特徴とする。
【００１１】
前記第１股エリアと前記第２股エリアにはそれぞれ股係脱部材が配され、前記股係脱部材は叉状となっており、前記股係脱部材が係合した際、前記叉状部分が重なることが好ましい。
【００１２】
本発明の被服は、筒状体と、前記筒状体に設けられた胴開口と、前記筒状体に設けられた２つの脚開口と、前記筒状体において２つの脚開口を形成する股形成構造と、前記筒状体をシート状に展開可能な展開構造と、を備え、前記展開構造は、前記筒状体の他方の開口端から前記脚開口の開口端まで延びる区切部と、前記区切部によって形成された一対の端部を互いに係脱可能にする端部係脱機構と、を有し、  前記股形成構造は、互いに係脱可能な股係脱部材を有し、前記股係脱部材は叉状となっていることを特徴とする。
【００１３】
前記脚開口の開口部には伸縮自在なギャザー構造が形成され、前記脚開口の開口部周縁には、排泄物を吸収可能な吸収部材が設けられたことが好ましい。また、  前記股係脱部材は、切り込みを有することが好ましい。さらに、前記切り込みの端部は、前記股係脱部材の中途部に位置することが好ましい。加えて、前記股係脱部材及び端部係脱部材は面ファスナであることが好ましい。
【００１４】
本発明の被服の製造方法は、係合部材を用いてシートの一方側と他方側を係合させて筒状体を形成する筒状体形成工程と、前記筒状体形成工程の前または後に行われ、前記股係脱部材を前記シートに取り付ける股係脱部材取り付け工程と、前記筒状体形成工程の前または後に行われ、前記股係脱部材に切り込みをいれる切り込み工程と、  を備えたことを特徴とする。
【発明の効果】
【００１５】
本発明によれば、従来に比べて使い勝手のよいおむつカバー等の被服を提供することができる。さらに、本発明によれば、製造コストを低く抑えた被服の製造方法を提供することができる。
【図面の簡単な説明】
【００１６】
【図１】装着状態のおむつカバーの概要を示す正面図である。
【図２】おむつカバーの概要を示す展開図である。
【図３】（Ａ）は、股係脱部材取り付け工程の概要を示す説明図である。（Ｂ）は、筒状体形成工程の概要を、（Ｃ）は、切り込み工程の概要を示す説明図である。（Ｄ）は、おむつカバーの概要を示す正面図である。
【図４】（Ａ）〜（Ｂ）は、おむつカバーの別実施形態の正面図である。
【図５】（Ａ）〜（Ｄ）は、股形成構造としての面ファスナの別実施形態の正面図である。
【図６】（Ａ）〜（Ｃ）は、展開構造としての面ファスナの別実施形態の正面図である。
【発明を実施するための形態】
【００１７】
図１に示すように、おむつカバー２は、ズボン型の形状であり、防水性及び通気性を有する素材からなる。おむつカバー２は、筒状の本体４と、本体４の胴開口１０と、２つの本体４の脚開口２０と、本体４において脚開口２０を形成する股形成構造３０と、展開構造４０と、を備える。
【００１８】
胴開口部１０や脚開口部２０にはギャザー加工が施されている。おむつカバー２の内面のうち、オムツＴの胴開口部１０を覆う部分１１、オムツＴの脚開口部２０を覆う部分２１、脚開口部２０の直ぐ上の部分２２には、排泄物の吸収性の高い吸収部材が設けられている。ギャザー加工や吸収部材は、公知のものを利用することができる。
【００１９】
図１〜２に示すように、展開構造４０は、腰から大腿部側部にかけてまっすぐ伸びた区切部４１と、区切部４１に沿って配された１組の面ファスナ４２とを有する。本体４は、区切部４１により、シート状（以下、展開シートと称する）に展開可能となる。帯状の展開シート５において、長手方向をＸ方向と、幅方向をＹ方向と称する。展開シート５の片側の面において、１つの面ファスナ４２ＡはＸ方向の一方側の端部に設けられ、もう１つの面ファスナ４２ＢはＸ方向の他方側の端部に設けられる。これらの面ファスナ４２Ａ，４２Ｂを係合させると、展開シート５は本体４となる（図１）。このように展開構造４０によれば、対の面ファスナ４２の係脱操作により、展開シート５（図２）と本体４（図１）との間で切替可能となる。
【００２０】
股形成構造３０は、展開シート５のＹ方向端部において、Ｘ方向にて離隔して配された対の面ファスナ５１を備える。面ファスナ５１Ａ，５１Ｂは、図示するようなＶ字状やＵ字状に形成される。展開シート５を本体４へ切り替えた場合には、面ファスナ５１Ａ，５１Ｂは、互いに係合する。なお、展開シート５を本体４へ切り替えた場合、面ファスナ５１Ａ，５１Ｂは重なることが好ましい。
【００２１】
このように、おむつカバー２において、防水性及び通気性を有するおむつカバー２の所定位置（部分１１、２１）に、吸収部材が設けられているため、オムツで吸収できなかった排泄物を、おむつカバー２にて吸収することができる。また、部分２２に吸収部材が設けられているため、部分２１で吸収できなかった排泄物を吸収することができる。結果、排泄物が外部へこぼれることを防ぐため、シーツや床等を汚さずに済む。
【００２２】
腰から大腿部側部にかけてまっすぐ伸びる展開構造４０を備えるため、起立状態、寝たきり状態の場合においても、おむつカバー２の着脱は容易である。したがって、オムツＴの交換作業を容易に行うことができる。さらに、股形成構造３０としての面ファスナ５１の係脱操作と、展開構造４０としての面ファスナ４２の係脱操作により、おむつカバー２の着脱作業が可能となる。したがって、従来のものにくらべ着脱作業が短時間で済む。
【００２３】
このおむつカバー製造方法１００は、筒状体形成工程１１０と、股係脱部材取り付け工程１２０と、切り込み工程１３０とを備える。股係脱部材取り付け工程１２０は、筒状体形成工程１１０の前後のいずれに行われてもよい。また、切り込み工程１３０も、筒状体形成工程１１０の前後のいずれに行われてもよい。
【００２４】
（股係脱部材取り付け工程）
図３（Ａ）のように、防水性及び通気性を有す矩形状の展開シート５を用意する。展開シート５のうち股部に相当する部分には、三角形状の面ファスナ５１Ａ、５１Ｂが配される。なお、胴開口部１０になる部分５Ｔ及び脚開口部２０になる部分５Ｂには、ギャザー加工を施されていることが好ましい。また、展開シート５のうち筒状体の内側になる面の所定位置には、吸水性を有する吸水部材（図示省略）を配されていることが好ましい。そして、表側になる面の一方端部及び裏側になる面の他方端部には面ファスナ４２Ａ，４２Ｂが配されていることが好ましい。
【００２５】
（筒状体形成工程）
その後、面ファスナ４２Ａ、４２Ｂ同士を着脱させるとともに、面ファスナ５１Ａ，５１Ｂ同士を着脱させる（図３（Ｂ））。
【００２６】
（切り込み工程）
面ファスナ５１Ａ、５１Ｂのうち、股部が所定の形状となるように、三角形部を切り取る（図３（Ｃ））。面ファスナ５１のうち残った部分が、股形成構造３０となる（図３（Ｄ））。
【００２７】
股部の形状は、切り取り形状で調節可能であるため、体型に合わせた股部を形成することができる。おむつカバー２は、従来のタイプに比べ、用いる部材の形状がシンプルであり、製造も簡易にできる。なお、大量生産する場合には、帯状の防水性及び通気性を有する部材から矩形状の展開シート５を切り出してもよい。このようなおむつカバー２は、大量生産にも適している。
【００２８】
なお、区切部４１の位置は、腰から大腿部側部にかけて伸びたものに限られず、前身頃側（図４（Ａ））や後身頃側（図４（Ｂ））に設けられていてもよい。また、区切部４１は、直線状に形成されていてもよいし曲線状に形成されていてもよい。
【００２９】
また、面ファスナ５１の形状は、Ｖ字状やＵ字状に限られず、叉状となっていればよい。面ファスナ５１の形状として、例えば、扇形、楕円扇形、三角形や四角形などの多角形状等を用いることもできる（図５）。この場合において、面ファスナ５１の一方側から切り込みJや切り欠きKを形成する場合、切り込みJや切り欠きKの端は、面ファスナ５１の中途部に位置することが好ましい。
【００３０】
上記実施形態では、展開シート５の片側の面において、１つの面ファスナ４２ＡはＸ方向の一方側の端部に設けられ、もう１つの面ファスナ４２ＢはＸ方向の他方側の端部に設けた（図３）が、本発明はこれに限られない。例えば、面ファスナ４２Ａを、展開シート５の片側の面において、Ｘ方向の一方側の端部に設け、面ファスナ４２Ｂを、展開シート５の反対側の面において、Ｘ方向の他方側の端部に設けてもよい（図６（Ａ））。また、図６（Ｂ）〜６（Ｃ）に示すように、展開シート５の片側の面において、Ｘ方向の両端部に２つの面ファスナ４２Ａをそれぞれ設け、２つの面ファスナ４２Ａを覆うように面ファスナ４２Ｂを配することにより、展開シート５から本体４を形成することができる。
【００３１】
上記実施形態では、おむつカバーとして説明したが本発明はこれに限られず、被服、中でもズボン型の被服一般に広く利用することができる。
【００３２】
尚、本発明は、上記した実施の形態に限定されるものではなく、本発明の要旨を逸脱しない範囲内において種々変更を加え得ることは勿論である。
【符号の説明】
【００３３】
２   おむつカバー    
４  本体
５  展開シート
１０  胴開口
２０  脚開口
３０  股形成構造
４０  展開構造
【図１】
2017225623.tif 000003
【図２】
2017225623.tif 000004
【図３】
2017225623.tif 000005
【図４】
2017225623.tif 000006
【図５】
2017225623.tif 000007
【図６】
2017225623.tif 000008